【手続補正書】
【提出日】平成21年9月15日(2009.9.15)
【手続補正１】
【補正対象書類名】特許請求の範囲
【補正対象項目名】全文
【補正方法】変更
【補正の内容】
【特許請求の範囲】
【請求項１】
複数の項目から構成されたデータの表示を行う情報処理装置であって、
前記データの項目をソートキー項目として設定する要求を、ディスプレイ装置上に表示された前記データの一覧における項目名が表示された領域に対する指示により受け付ける第一の受付手段と、
ソートキー項目のソート優先順位を変更する要求を、ディスプレイ装置上に表示された前記データの一覧における項目名が表示された領域に対する指示により受け付ける第二の受付手段と、
前記第一の受付手段でソートキー項目として設定する要求を受け付けた項目をソートキー項目として設定し、該要求を受け付けた順序に従いソート優先順位を決定する第一の制御手段と、
ソート優先順位の入替候補として設定されているソートキー項目の存在を判定する判定手段と、
前記第二の受付手段でソート優先順位の変更要求を受け付けた場合に、すでにソート優先順位の入替候補として設定されたソートキー項目が存在しない場合には、ソート優先順位の変更要求を受け付けたソートキー項目をソート優先順位の入替候補として設定し、ソート優先順位の入替候補として設定されたソートキー項目が存在する場合には、ソート優先順位の変更要求を受け付けたソートキー項目とソート優先順位の入替候補として設定されているソートキー項目とのソート優先順位を入れ替える第二の制御手段と、
前記第一および第二の制御手段で決定されたソート優先順位に従いソートされたデータをディスプレイ装置に表示させる表示制御手段と、
を備えることを特徴とする情報処理装置。
【請求項２】
前記表示制御手段は、前記第二の制御手段によりソート優先順位の入替候補として設定されたソートキー項目を、識別可能に表示することを特徴とする請求項１に記載の情報処理装置。
【請求項３】
前記第二の制御手段によりソート優先順位の入替候補として設定されたソートキー項目が、前記第二の受付手段によりソート優先順位の変更要求を受け付けた場合には、前記第二の制御手段は該ソートキー項目の入替候補としての設定を無効とすることを特徴とする請求項１乃至２のいずれか１項に記載の情報処理装置。
【請求項４】
前記表示制御手段は、ソート優先順位を識別可能に表示することを特徴とする請求項１乃至３のいずれか１項に記載の情報処理装置。
【請求項５】
ソートキー項目として設定されていない項目が、前記第一の受付手段でソートキー項目として設定する要求を受け付けた場合には、前記第一の制御手段はさらに設定要求を受け付けたソートキー項目のソート方向の設定を行うことを特徴とする請求項１乃至４のいずれか１項に記載の情報処理装置。
【請求項６】
すでにソートキー項目として設定された項目が、前記第一の受付手段で設定要求を受け付けた場合には、前記第一の制御手段はさらに設定要求を受け付けたソートキー項目のソート方向の変更を行うことを特徴とする請求項１乃至５のいずれか１項に記載の情報処理装置。
【請求項７】
前記表示制御手段は、ソート方向を識別可能に表示することを特徴とする請求項５乃至６のいずれか１項に記載の情報処理装置。
【請求項８】
複数の項目から構成されたデータの表示を行う情報処理装置の情報処理方法であって、
第一の受付手段が、前記データの項目をソートキー項目として設定する要求を、ディスプレイ装置上に表示された前記データの一覧における項目名が表示された領域に対する指示により受け付ける第一の受付ステップと、
第二の受付手段が、ソートキー項目のソート優先順位を変更する要求を、ディスプレイ装置上に表示された前記データの一覧における項目名が表示された領域に対する指示により受け付ける第二の受付ステップと、
第一の制御手段が、前記第一の受付手段でソートキー項目として設定する要求を受け付けた項目をソートキー項目として設定し、該要求を受け付けた順序に従いソート優先順位を決定する第一の制御ステップと、
判定手段が、ソート優先順位の入替候補として設定されているソートキー項目の存在を判定する判定ステップと、
第二の制御手段が、前記第二の受付手段でソート優先順位の変更要求を受け付けた場合に、すでにソート優先順位の入替候補として設定されたソートキー項目が存在しない場合には、ソート優先順位の変更要求を受け付けたソートキー項目をソート優先順位の入替候補として設定し、ソート優先順位の入替候補として設定されたソートキー項目が存在する場合には、ソート優先順位の変更要求を受け付けたソートキー項目とソート優先順位の入替候補として設定されているソートキー項目とのソート優先順位を入れ替える第二の制御ステップと、
表示制御手段が、前記第一および第二の制御手段で決定されたソート優先順位に従いソートされたデータをディスプレイ装置に表示させる表示制御ステップと、
を備えることを特徴とする情報処理方法。
【請求項９】
複数の項目から構成されたデータの表示を行う情報処理装置を、
前記データの項目をソートキー項目として設定する要求を、ディスプレイ装置上に表示された前記データの一覧における項目名が表示された領域に対する指示により受け付ける第一の受付手段と、
ソートキー項目のソート優先順位を変更する要求を、ディスプレイ装置上に表示された前記データの一覧における項目名が表示された領域に対する指示により受け付ける第二の受付手段と、
前記第一の受付手段でソートキー項目として設定する要求を受け付けた項目をソートキー項目として設定し、該要求を受け付けた順序に従いソート優先順位を決定する第一の制御手段と、
ソート優先順位の入替候補として設定されているソートキー項目の存在を判定する判定手段と、
前記第二の受付手段でソート優先順位の変更要求を受け付けた場合に、すでにソート優先順位の入替候補として設定されたソートキー項目が存在しない場合には、ソート優先順位の変更要求を受け付けたソートキー項目をソート優先順位の入替候補として設定し、ソート優先順位の入替候補として設定されたソートキー項目が存在する場合には、ソート優先順位の変更要求を受け付けたソートキー項目とソート優先順位の入替候補として設定されているソートキー項目とのソート優先順位を入れ替える第二の制御手段と、
前記第一および第二の制御手段で決定されたソート優先順位に従いソートされたデータをディスプレイ装置に表示させる表示制御手段として機能させるためのプログラム。
【手続補正２】
【補正対象書類名】明細書
【補正対象項目名】０００１
【補正方法】変更
【補正の内容】
【０００１】
本発明は、複数の項目によるデータの並び替えを行う技術に関し、特にデータの並び替えの項目の優先度の変更を容易に行う技術に関する。
【手続補正３】
【補正対象書類名】明細書
【補正対象項目名】０００７
【補正方法】変更
【補正の内容】
【０００７】
しかし、特許文献１では、ソートキーの優先順の変更についてはなんら開示されていない。
【手続補正４】
【補正対象書類名】明細書
【補正対象項目名】０００８
【補正方法】変更
【補正の内容】
【０００８】
本発明は、上記の問題点を解決するためになされたもので、複数の項目によりデータの並び替えを行う際に、データの並び替えの項目の優先度の変更を容易に行う仕組を提供することを目的とする。
【手続補正５】
【補正対象書類名】明細書
【補正対象項目名】０００９
【補正方法】変更
【補正の内容】
【０００９】
本発明は、複数の項目から構成されたデータの表示を行う情報処理装置であって、前記データの項目をソートキー項目として設定する要求を、ディスプレイ装置上に表示された前記データの一覧における項目名が表示された領域に対する指示により受け付ける第一の受付手段と、ソートキー項目のソート優先順位を変更する要求を、ディスプレイ装置上に表示された前記データの一覧における項目名が表示された領域に対する指示により受け付ける第二の受付手段と、前記第一の受付手段でソートキー項目として設定する要求を受け付けた項目をソートキー項目として設定し、該要求を受け付けた順序に従いソート優先順位を決定する第一の制御手段と、ソート優先順位の入替候補として設定されているソートキー項目の存在を判定する判定手段と、前記第二の受付手段でソート優先順位の変更要求を受け付けた場合に、すでにソート優先順位の入替候補として設定されたソートキー項目が存在しない場合には、ソート優先順位の変更要求を受け付けたソートキー項目をソート優先順位の入替候補として設定し、ソート優先順位の入替候補として設定されたソートキー項目が存在する場合には、ソート優先順位の変更要求を受け付けたソートキー項目とソート優先順位の入替候補として設定されているソートキー項目とのソート優先順位を入れ替える第二の制御手段と、前記第一および第二の制御手段で決定されたソート優先順位に従いソートされたデータをディスプレイ装置に表示させる表示制御手段と、を備えることを特徴とする。
【手続補正６】
【補正対象書類名】明細書
【補正対象項目名】００１０
【補正方法】変更
【補正の内容】
【００１０】
本発明によれば、データの一覧表を参照しながら複数のキーによるソートを行う際に、ソートキーの優先度の変更を容易に行うことが可能となる。